(57)【特許請求の範囲】
【請求項１】
ユーザー設備が基地局設備から、循環移動値と、CoMP SRS基本列に関する情報と、を含むマルチポイント協同伝送CoMP専用SRSの序列情報（以下、CoMP専用SRSの序列情報という）を受け、前記基地局設備がCoMP SRS cluster内の区間と対応し、前記CoMP SRS clusterのため、CoMP専用SRSの序列情報を確定し、
前記ユーザー設備が前記CoMP専用SRSの序列情報によって前記CoMP SRS cluster内の区間にSRSを発送する、
ことを特徴とする基準検出信号SRSの発送方法。
【請求項２】
前記CoMP専用SRSの序列情報が前記CoMP SRS cluster内のある区間のSRS列にバインディングし、又は前記CoMP SRS cluster内のすべての区間のSRS列との間にバインディング関係がないことを特徴とする請求項1記載の方法。
【請求項３】
前記CoMP SRS基本列に関する情報がCoMP SRS基本列に対応する列グループ番号及び基本列番号を含み、前記ユーザー設備が前記CoMP専用SRSの序列情報によって、
前記CoMP SRS cluster内の区間にSRSを発送する、具体的に言うと、
前記ユーザー設備が前記列グループ番号と前記基本列番号によって相応なCoMP SRS基本列を確定し、前記基本列、前記循環移動値とSRS配置情報を使用してSRSを発送することを特徴とする請求項1記載の方法。
【請求項４】
前記CoMP SRS基本列に関する情報がCoMP SRS基本列を含み、前記ユーザー設備が前記基本列、前記循環移動値とSRS配置情報を使用してSRSを発送することを特徴とする請求項1記載の方法。
【請求項５】
前記CoMP SRS基本列に関する情報が基本列集合の中のCoMP SRS基本列の番号を含み、前記ユーザー設備が基地局設備からのCoMP専用SRSの序列情報を受ける前に、下記を含み、即ち、
前記基地局設備がCoMP SRS基本列を選び、選定された前記CoMP SRS基本列を一つの基本列集合とし、前記基本列集合の中のCoMP SRS基本列に番号を付けることと、
前記ユーザー設備が前記CoMP専用SRSの序列情報によって前記CoMP SRS cluster内の区間にSRSを発送する、
具体的に言うと、前記ユーザー設備がCoMP SRS基本列の基本列集合での番号によって相応なCoMP SRS基本列を確定し、前記基本列、前記循環移動値とSRS配置情報を使用してSRSを発送することを特徴とする請求項1記載の方法。
【請求項６】
前記CoMP SRS基本列に関する情報がCoMP SRS clusterの群標識group IDを含み、
前記ユーザー設備が基地局設備からのCoMP専用SRSの序列情報を受ける前に、
前記基地局設備がCoMP SRS基本列を選択し、前記基本列を決めるgroup IDを確定することと、
前記ユーザー設備が前記CoMP専用SRSの序列情報によって前記CoMP SRS cluster内の区間にSRSを発送する、
具体的に言うと、前記ユーザー設備が前記group IDによって相応なCoMP SRS基本列を確定し、前記基本列、前記循環移動値とSRS配置情報を使用してSRSを発送することを特徴とする請求項1記載の方法。
【請求項７】
前記CoMP SRS基本列に関する情報がCoMP SRS clusterのgroup ID番号を含み、
前記ユーザー設備が基地局設備からのCoMP専用SRSの序列情報を受ける前に、
前記基地局設備がCoMP SRS基本列を選び、基本列を決める選択可能なgroup IDを一つの集合に構成し、前記集合の中の各group IDに番号を付けることと、
前記ユーザー設備が前記CoMP専用SRSの序列情報によって前記CoMP SRS cluster内の区間にSRSを発送する、具体的に言うと、前記ユーザー設備がgroup ID番号によって相応なCoMP SRS基本列を獲得し、前記基本列、前記循環移動値とSRS配置情報を使用してSRSを発送することを特徴とする請求項1記載の方法。
【請求項８】
前記CoMP SRS基本列に関する情報がCoMP SRS clusterのgroup IDと基本列標識sequence IDを含み、前記ユーザー設備が基地局設備からのCoMP専用SRSの序列情報を受ける前に、
前記基地局設備がCoMP SRS基本列を選択し、前記group IDとsequence IDを確定することと、
前記ユーザー設備が前記CoMP専用SRSの序列情報によって前記CoMP SRS cluster内の区間にSRSを発送する、具体的に言うと、前記ユーザー設備が前記group IDとsequence IDによって相応なCoMP SRS基本列を確定し、前記基本列、前記循環移動値とSRS配置情報を使用してSRSを発送することを特徴とする請求項1記載の方法。
【請求項９】
前記ユーザー設備がCoMP専用SRSの序列情報によってCoMP SRS cluster内の区間にSRSを発送した後、後続のSRS伝送に対して、前記ユーザー設備が前記CoMP専用SRSの序列情報を使用してSRSを発送し、又はCoMP専用SRSの序列情報を改めて配置し、又はSRSによりあらかじめ定義された飛び方式によって列飛びを行うことを特徴とする請求項４又は５記載の方法。
【請求項１０】
前記ユーザー設備が基地局設備からのCoMP専用SRSの序列情報を受け、具体的に
前記ユーザー設備が下記方式、即ち、無線資源制御RRC信号伝達、下り制御信号伝達通知と放送通知のいずれを通じて前記CoMP専用SRSの序列情報を受けることを特徴とする請求項１〜８のいずれか記載の方法。
【請求項１１】
前記循環移動値がLTEシステムと同じ又は異なる集合を使用し、異なるCoMP SRS cluster内にニーズによって異なる循環移動値集合を配置することを特徴とする請求項１〜８のいずれか記載の方法。
【請求項１２】
CoMP SRS cluster内の区間と対応し、前記CoMP SRS clusterのため、循環移動値と、CoMP SRS基本列に関する情報と、を含むマルチポイント協同伝送CoMP専用SRSの序列情報（以下、CoMP専用SRSの序列情報という）を確定する基地局設備から、前記CoMP専用SRSの序列情報を引き受ける引受モジュールと、
前記引受モジュールにより引き受けられた前記CoMP専用SRSの序列情報を使用して前記CoMP SRS cluster内の区間にSRSを発送する発送モジュールと、
を含むことを特徴とするユーザー設備。
【請求項１３】
前記引受モジュールが具体的に下記方式、即ち、無線資源制御RRC信号伝達、下り制御信号伝達通知と放送通知のいずれかを通じて前記CoMP専用SRSの序列情報を引き受けることを特徴とする請求項12記載のユーザー設備。
【請求項１４】
前記CoMP SRS基本列に関する情報がCoMP SRS基本列の相応な列グループ番号と基本列番号を含み、前記発送モジュールが具体的に前記列グループ番号と前記基本列番号によって相応なCoMP SRS基本列を確定し、前記基本列、前記循環移動値とSRS配置情報を使用してSRSを発送することを特徴とする請求項12記載のユーザー設備。
【請求項１５】
前記CoMP SRS基本列に関する情報がCoMP SRS基本列を含み、前記発送モジュールが具体的に前記基本列、前記循環移動値とSRS配置情報を使用してSRSを発送することを特徴とする請求項12記載のユーザー設備。
【請求項１６】
前記CoMP SRS基本列に関する情報がCoMP SRS基本列の基本列集合での番号を含み、前記発送モジュールが具体的に前記CoMP SRS基本列の基本列集合での番号によって相応なCoMP SRS基本列を確定し、前記基本列、前記循環移動値とSRS配置情報を使用してSRSを発送することを特徴とする請求項12記載のユーザー設備。
【請求項１７】
前記CoMP SRS基本列に関する情報がCoMP SRS clusterのgroup IDを含み、
前記発送モジュールが具体的に前記group IDによって相応なCoMP SRS基本列を確定し、前記基本列、前記循環移動値とSRS配置情報を利用してSRSを発送することを特徴とする請求項12記載のユーザー設備。
【請求項１８】
前記CoMP SRS基本列に関する情報がCoMP SRS clusterのgroup ID番号を含み、
前記発送モジュールが具体的にgroup IDの番号によって相応なCoMP SRS基本列を獲得し、前記基本列、前記循環移動値とSRS配置情報を利用してSRSを発送することを特徴とする請求項12記載のユーザー設備。
【請求項１９】
前記CoMP SRS基本列に関する情報がCoMP SRS clusterのgroup IDとsequence IDを含み、前記発送モジュールが具体的に前記group IDとsequence IDによって相応なCoMP SRS基本列を確定し、前記基本列、前記循環移動値とSRS配置情報を使用してSRSを発送することを特徴とする請求項12記載のユーザー設備。
【請求項２０】
前記発送モジュールが後続のSRS伝送にも使用され、前記CoMP専用SRSの序列情報を利用してSRSを発送し、又はCoMP専用SRSの序列情報を改めて配置し、又はSRSによりあらかじめ定義された飛び方式によって列飛びを行うことを特徴とする請求項15又は16記載のユーザー設備。
【請求項２１】
CoMP SRS cluster内の区間に対応する基地局設備であって、
前記CoMP SRS clusterのため、循環移動値と、CoMP SRS基本列に関する情報と、を含むCoMP専用SRSの序列情報を獲得する獲得モジュールと、
前記獲得モジュールにより獲得されたCoMP専用SRSの序列情報をユーザー設備に発送することによって、前記ユーザー設備に、前記CoMP専用SRSの序列情報を使用してSRSを発送させる発送モジュールと、
を含むことを特徴とする基地局設備。
【請求項２２】
RRC信号伝達、下り制御信号伝達通知と放送通知からの何れかを通じて前記ユーザー設備に前記CoMP専用SRSの序列情報を発送することを特徴とする請求項21記載の基地局設備。
【請求項２３】
前記CoMP SRS基本列に関する情報がCoMP SRS基本列の相応な列グループ番号と基本列番号を含み、
前記獲得モジュールが具体的にCoMP SRS基本列を選択し、前記基本列を決める列グループ番号と基本列番号を確定することに使用されることを特徴とする請求項21記載の基地局設備。
【請求項２４】
前記CoMP SRS基本列に関する情報がCoMP SRS基本列を含み、前記獲得モジュールが具体的にCoMP SRS基本列を選択することに使用されることを特徴とする請求項21記載の基地局設備。
【請求項２５】
前記CoMP SRS基本列に関する情報がCoMP SRS基本列の基本列集合での番号を含み、前記獲得モジュールが具体的にCoMP SRS基本列を選択し、選択された前記CoMP SRS基本列を一つの基本列集合とし、前記基本列集合でのCoMP SRS基本列に番号を付けることに使用されることを特徴とする請求項21記載の基地局設備。
【請求項２６】
前記CoMP SRS基本列に関する情報がCoMP SRS clusterのgroup IDを含み、前記獲得モジュールが具体的にCoMP SRS基本列を選択し、前記基本列を決めるgroup IDを確定することに使用されることを特徴とする請求項21記載の基地局設備。
【請求項２７】
前記CoMP SRS基本列に関する情報がCoMP SRS clusterのgroup IDの番号を含み、前記獲得モジュールが具体的にCoMP SRS基本列を選択し、基本列を決める選択可能なgroup IDを一つの集合に構成し、前記集合での各group IDに番号を付けることに使用されることを特徴とする請求項21記載の基地局設備。
【請求項２８】
前記CoMP SRS基本列に関する情報がCoMP SRS clusterのgroup IDとsequence IDを含み、前記獲得モジュールが具体的にCoMP SRS基本列を選択し、前記group IDとsequence IDを確定することに使用されることを特徴とする請求項21記載の基地局設備。
【請求項２９】
CoMP SRS cluster内の区間と対応し、前記CoMP SRS clusterのため、循環移動値と、CoMP SRS基本列に関する情報と、を含むCoMP専用SRSの序列情報を確定する基地局設備から、前記CoMP専用SRSの序列情報を引き受け、引き受けた前記CoMP専用SRSの序列情報によってCoMP SRS cluster内の区間にSRSを発送するユーザー設備と、
前記CoMP専用SRSの序列情報獲得に使用され、獲得した前記CoMP専用SRSの序列情報を前記ユーザー設備に発送することによって、前記ユーザー設備に、前記CoMP専用SRSの序列情報によってSRSを発送させる基地局設備を含むことを特徴とするSRSの発送システム。
【発明の詳細な説明】
【技術分野】
【０００１】
本特許出願は、2009年7月30日中国特許局に提出され、出願番号が200910090014.6で、発明名称が「一種の基準検出信号の発送方法、装置とシステム」である中国特許出願の優先権について、その全部内容が引用を通じて本出願に結合されている。
【０００２】
本発明は、移動通信技術分野に関するものであり、特に、一種の基準検出信号の発送方法、装置とシステムに関する。
【背景技術】
【０００３】
現在、ITU（International Telecommunication Union、国際電気通信連合）は次世代の移動通信システム-IMT-Advanced（高級国際移動通信）システムの性能に非常に厳しい要求を提出して、例えば、最大なシステム伝送帯域幅が100MHzに達し、上り・下りデータ伝送のピーク速度が1Gbps和500M bpsに達するよう要求し、それにシステム平均周波数スペクトル効率、特に周辺周波数のスペクトル効率に非常に高い要求を提出した。
【０００４】
IMT-Advancedシステムの要求に応じて、3GPP（3rd Generation Partnership Project，第三世代のパートナーシップ計画）が次世代の移動ハニカム通信システムLTE-Advanced（高級長期進化）システムで、マルチポイント協同伝送技術を採用することによってシステムの性能を向上する。
【０００５】
マルチポイント協同伝送技術は地理位置上離れている複数の伝送ポイントの間の協同で、複数の伝送ポイントが異なる区間での基地局である。マルチポイント協同伝送技術は、下り協同伝送と上り連合引受に分けられ、下り協同伝送が連合調達方案と連合発送方案を含む。この中で、連合調達方案が区間間の時間、周波数及び空間資源の協調を通じて、異なるUE（User Equipment，ユーザー設備）に互いに直角に交わる資源を配布することによって、相互干渉を避け、区間間の干渉を低減し、これで区間縁のUE性能を向上する。連合発送方案の中で、複数の区間が同じ資源の上に、同時に同じUEにデータを発送することによって、UEにより引き受けられる信号の強度を向上し、複数の区間からの役立つ信号の重なり合いを通じてUEにより引き受けられる信号品質を向上でき、それにUEにより引き受けられる干渉を低減でき、これでシステム性能を向上できる。上り連合引受は、複数の区間が同時に一つのUEにより出されたデータを引き受け、それに各区間が引き受けられたデータに対して連合処理を通じて、データの復調品質を向上することを指す。
【０００６】
LTEシステムで、UEがその常駐区間で指定された時間と周波数資源の上にeNodeB（Evolved Node-B、進化ノードB）に上り SRS（Sounding Reference Signal、基準検出信号）を発送し、eNodeBにより引き受けられたSRSによってUEからeNodeBまでのチャネル情報を見積もり、それに上り周波数領域配置、MCS（Modulation and Coding Scheme、変調コーディング方案）選択と資源分配の根拠とする。TDD（Time Division Duplex，時分割二重通信）システムに対して、eNodeBは、得られた上りチャネル情報によって下り波束成形の重み付きベクトルが計算できる。
【発明の概要】
【発明が解決しようとする課題】
【０００７】
発明者は、本発明の実現プロセスで、現有技術に少なくとも下記の問題が存在することを見つけた。
【０００８】
現有のLTEシステムの中で、LTEシステムSRS資源の分配は、区間を単位として、区間内UE分配が直角に交わるSRS資源の間に、隣の区間のSRSが異なるサブフレーム内に配置されて伝送される可能性がある。これと同時に、SRSの基本列は区間で常駐する区間IDとバインディングし、即ち、eNodeBとUEが皆区間IDを獲得する状況の下で、一致的に基本列を獲得することができる。しかし、LTE-Advancedシステムの中で、CoMP（Comp coordinated Multi-Point，マルチポイント協同伝送） SRS cluster（集合）内の区間で使用されているCoMP SRS 基本列が区間IDとバインディングしない場合、UEがSRSの序列情報が獲得できない。
【課題を解決するための手段】
【０００９】
本発明の実施の形態は、一種の基準検出信号の発送方法、装置とシステムを提供し、チャネル見積もりの正確度を保証した。
【００１０】
本発明の実施の形態は、一種の基準検出信号SRSの発送方法を提出して、
ユーザー設備が基地局設備からのマルチポイント協同伝送CoMP専用SRS 列情報を受け、それに前記基地局設備がCoMP SRS 集合cluster内の区間と相応する。
【００１１】
前記ユーザー設備が前記CoMP専用SRSの序列情報によって前記CoMP SRS cluster内の区間にSRSを発送するステップが含まれる。
【００１２】
また、本発明の実施の例は、
基地局設備からのマルチポイント協同伝送CoMP専用SRS 列情報を受け、それに前記基地局設備がCoMP SRS 集合cluster内の区間と相応する引受モジュールと、
前記引受モジュールにより引き受けられたCoMP専用SRSの序列情報によって前記CoMP SRS cluster内の区間にSRSを発送する為の発送モジュールが含まれる一種のユーザー設備を提出する。
【００１３】
本発明の実施の形態は、
CoMP SRS cluster内の区間相応なCoMP専用SRSの序列情報を獲得するのに使用される獲得モジュール、
前記獲得モジュールにより獲得されたCoMP専用SRSの序列情報をユーザー設備に発送することによって、前記ユーザー設備に、前記CoMP専用SRSの序列情報によってSRSを発送させる発送モジュールが含まれる一種の基地局設備を提出する。
【００１４】
また、本発明の実施の形態は、
前記ユーザー設備は、前記基地局設備からのCoMP専用SRS 列情報を引き受け、それに前記引き受けられたCoMP専用SRSの序列情報によってCoMP SRS cluster内の区間にSRSを発送することに使用され、前記基地局設備が前記CoMP SRS cluster内の区間と相応するユーザー設備、
前記CoMP SRS cluster内の区間相応なCoMP専用SRSの序列情報を獲得し、それに前記獲得されたCoMP専用SRSの序列情報を前記ユーザー設備に発送することによって、前記ユーザー設備に前記CoMP専用SRSの序列情報によってSRSを発送されることに使用される前記基地局設備が含まれる一種のSRSの発送システムを提出する。
【発明の効果】
【００１５】
本発明の実施の形態の技術的解決策は下記の優位性を持ち、即ち、マルチポイント協同伝送技術に基づくSRS基本列通知方式と列通知形式を提供するので、CoMP SRS cluster内の区間に使用されるCoMP SRS 基本列が区間IDとバインディングしない場合にUEに列情報を提供する為、区間間のCoMP SRS資源の干渉及びCoMPと非CoMP SRS資源でのSRSとの干渉を低減し、チャネル見積もり正確度を確保することである。
【図面の簡単な説明】
【００１６】
【図１】本発明の実施の形態一での一種のSRSの発送方法フローチャートである。
【図２】本発明の実施の形態二での一種のSRSの発送方法フローチャートである。
【図３】本発明の実施の形態三での一種のSRSの発送方法フローチャートである。
【図４】本発明の実施の形態四での一種のSRSの発送方法フローチャートである。
【図５】本発明の実施の形態五での一種のSRSの発送方法フローチャートである。
【図６】本発明の実施の形態六での一種のSRSの発送方法フローチャートである。
【図７】本発明の実施の形態七での一種のユーザー設備構造見取図である。
【図８】本発明の実施の形態八での一種の基地局設備構造見取図である。
【図９】本発明の実施の形態九での一種のSRSの発送システム構造見取図である。
【発明を実施するための形態】
【００１７】
本発明の実施の形態により提供された技術的解決策の中で、CoMP SRS基本列がCoMP SRS cluster内のあるサービス区間のIDとバインディングする時、当該サービス区間内のUEがLTEシステムと同じSRS基本列通知方式と通知形式を採用するが、その他のサービス区間がLTEシステムと異なるSRS基本列通知方式と通知形式を採用する必要がある。CoMP SRS基本列が単独に選定され、即ち、CoMP SRS cluster内の如何なるサービス区間のIDとバインディングしない場合、CoMP SRS cluster内の区間がLTEシステムと異なるSRS基本列通知方式と通知形式を採用する必要がある。その中で、単独に選定されたCoMP SRS基本列が、如何なるCoMP SRS cluster内に含まれる区間により採用される列グループと異なり、任意に選択でき、それにできるだけCoMP SRS cluster内の区間により採用される列グループと低い程度の干渉を保持する。本発明の実施の形態でのSRS基本列通知方式はRRC信号伝達通知、下り制御信号伝達通知又は放送通知の何れかであっても良く、SRS基本列の通知形式はCoMP 専用SRS列のgroup ID或いは基本列本身への通知を含み、又はCoMP専用SRS列的集合を設置し、それに集合でのSRS列の列番号を通知する。
【００１８】
次に本発明の実施の形態での添付図に結びついて、本発明の実施の形態での技術的解決策を明らかに且つ完全に述べる。周知の通り、述べる実施の形態は本発明の一部分の実施の形態で、全部の実施の形態ではない。本発明での実施の形態に基づいて、本分野の技術者により取得されるイノベーションのないすべてのほかの実施の形態が本発明の保護範囲に属する。
【００１９】
図1で示すのは、本発明の実施の形態一での一種のSRSの発送方法フローチャートで、下記のステップを含む。
【００２０】
ステップ101、ユーザー設備が基地局設備からのCoMP専用SRS 列情報を受け、それに前記基地局設備がCoMP SRS cluster内の区間と相応する。
【００２１】
その中で、CoMP SRS clusterがマルチポイント協同伝送の為の区間集合で、CoMP専用SRSの序列情報がCoMP SRS cluster内の区間の相応な基地局設備により当該CoMP SRS clusterに選択されたCoMP SRS基本列表示に使用される。CoMP専用SRSの序列情報がCoMP SRS基本列に対応する列グループ番号（sequence-group number）と基本列番号（base sequence number）、又はCoMP SRS基本列、又はCoMP SRS基本列の基本列集合での番号、又はCoMP SRS clusterの群標識group ID、又はCoMP SRS clusterのgroup ID番号、又はgroup IDと基本列標識sequence ID、又はgroup IDとsequence IDの番号の何れかであっても良い。前記CoMP専用SRS 列情報がCoMP SRS cluster内のある区間のSRS列とバインディングしてもいいし、又はCoMP SRS cluster内のすべての区間のSRS列とバインディング関係を持たなくてもよく、これでできるだけCoMP SRS cluster内の区間により採用される列グループと最小限のの干渉を保持する。
【００２２】
また、CoMP専用SRSの序列情報は循環移動値も含み、循環移動値がLTEシステムと同じ又は異なる集合を使用しても良く、異なるCoMP SRS cluster内でニーズに応じて異なる循環移動値集合を配置する。
【００２３】
具体的に、CoMP SRS cluster内の区間がRRC信号伝達、下り制御信号伝達通知又は通知放送の方式を通じてCoMP専用SRSの序列情報をユーザー設備に発送できる。UEにCoMP専用SRSの序列情報を発送する区間が当該UEのサービス区間であってもいいし、当該UEのその他の区間であっても良い。
【００２４】
ステップ102，ユーザー設備がCoMP専用SRSの序列情報によってCoMP SRS cluster内の区間にSRSを発送する。
【００２５】
具体的に、ユーザー設備が受けたCoMP専用SRSの序列情報によって相応なCoMP SRS基本列を獲得し、それに当該基本列、循環移動値とSRS配置情報を利用して基地局設備により配置された時間・頻度資源上でSRSの発送を行い、当該SRS配置情報が帯域幅と周期等情報を含む。
【００２６】
後続のSRS伝送について、ユーザー設備がCoMP専用SRSの序列情報を利用してSRSを発送してもいいし、CoMP専用SRSの序列情報を改めて配置してもいいし、又はSRSによりあらかじめ定義された飛び方式によって列飛びを実施しても良い。
【００２７】
説明すべきのは、本発明の実施の形態は、CDM（Code Division Multiplexing、コード分割多重化）に基づくSRS伝送方式だけを例としてSRSの発送方法を述べたが、本発明の実施の形態で提供された技術的解決策はその他のSRS伝送方式にも適用し、その中でFDM（Frequency Division Multiplexing、周波数分割多重化）に基づくSRSとFDM/CDMに基づくSRS等伝送方式を含み、但し本実施の形態に限定されない。
【００２８】
本発明の実施の形態の技術的解決策は下記の優位性を持ち、即ち、マルチポイント協同伝送技術に基づくSRS基本列通知方式と列通知形式を提供するので、CoMP SRS cluster内の区間に使用されるCoMP SRS 基本列が区間IDとバインディングしない場合にUEに列情報を提供する為、区間間のCoMP SRS資源の干渉及びCoMPと非CoMP SRS資源でのSRSとの干渉を低減し、チャネル見積もり正確度を保証することである。
【００２９】
図2で示すのは、本発明の実施例２での一種のSRSの発送方法フローチャートで、下記のステップを含む。
【００３０】
ステップ201、基地局設備がCoMP SRS clusterでの各区間に同じCoMP SRS OFDM symbol（符号）集合とCoMP SRS列グループを配置する。
【００３１】
この中で、CoMP SRS列グループとCoMP SRS clusterでの如何なる区間の基本列が異なるグループにあり、又はCoMP SRS clusterでのある区間の基本列と同じ。
【００３２】
ステップ202、基地局設備がタイムスロットｎｓの中にCoMP SRS基本列を選択し、高層信号伝達を通じてGroup-hopping-enabled（グループ飛び活性化）信号伝達を開き、それにsequence-shift pattern（列移動図案）を選択する。
【００３３】
具体的に、次の公式を使用してsequence-shift patternを選択できる。
【数１】
0005531100.tif 000002
この中で、
【数２】
0005531100.tif 000003
はCoMP専用列移動図案で、
【数３】
0005531100.tif 000004
はCoMP SRS cluster標識、即ち、CoMP SRS clusterの群標識group IDである。
【００３４】
この上、本ステップで選択されたsequence-shift patternがPUSCH（Physical Uplink Shared Channel、物理上りリンク共有チャネル）のsequence-shift pattern、即ち
【数４】
0005531100.tif 000005
と異なり、当該PUSCHのsequence-shift patternは、高層配置又は事前約束された計算方式で獲得できる。
【００３５】
ステップ203、基地局設備がRRC信号伝達を通じてCoMP SRS基本列の相応な列グループ番号、基本列番号と循環移動値をUEに通知する。
具体的に、列グループ番号と基本列番号は、それぞれ下記の公式で計算することによって得られる。
【数５】
0005531100.tif 000006
この中で、uは列グループ番号（group number）で、
【数６】
0005531100.tif 000007
はグループ飛び図案で、
【数７】
0005531100.tif 000008
はCoMP専用列移動図案である。
【００３６】
Vは基本列番号（base sequence number）で、ｃ（ｉ）は疑似乱数の列で、ｃｉｎｉｔは初期値で、
【数８】
0005531100.tif 000009
は列移動図案で、
【数９】
0005531100.tif 000010
はCoMP SRS clusterの標識、即ち、CoMP SRS clusterの群標識group IDである。
【００３７】
この中で、循環移動値が高層により各ユーザに配置されても良く、循環移動の数値集合がLTEシステムと同じ、即ち、{0，1，2，3，4，5，6，7}であっても良く、干渉問題を考え、それに資源量が許す状況の下で循環移動値も相応に減少しても良く、例えば、{0，2，4，6}、{1，3，5，7}等で、異なるCoMP SRS cluster内でニーズによって異なる循環移動集合を配置しても良い。
【００３８】
基地局設備が、下り制御信号通知を伝達・放送する方式を通じて前記情報をユーザー設備に発送できる。
【００３９】
ステップ204、UEが引き受けられた列グループ番号と基本列番号によってCoMP SRS基本列を確定し、それに当該基本列、循環移動値とSRS配置情報を利用して基地局設備配置された時間・頻度資源上にSRSの発送を行う。
【００４０】
本発明の実施の形態の技術的解決策は下記の優位性を持ち、即ち、マルチポイント協同伝送技術に基づくSRS基本列通知方式と列通知形式を提供するので、CoMP SRS cluster内の区間に使用されるCoMP SRS 基本列が区間IDとバインディングしない場合にUEに列情報を提供する為、区間のCoMP SRS資源の干渉及びCoMPと非CoMP SRS資源でのSRSとの干渉を低減し、チャネル見積もり正確度を確保することである。
【００４１】
図3で示すのは、本発明の実施例３の一種のSRSの発送方法フローチャートで、下記のステップを含む。
【００４２】
ステップ301、基地局設備がCoMP SRS clusterでの各区間に同じCoMP SRS OFDM symbol（符号）集合とCoMP SRS列グループを配置する。
【００４３】
この中で、CoMP SRS列グループとCoMP SRS clusterでの如何なる区間の基本列が異なるグループにあり、又はCoMP SRS clusterでのある区間の基本列と同じ。
【００４４】
ステップ302、基地局設備がタイムスロットｎｓでCoMP SRS基本列を選択する。
【００４５】
ステップ303、基地局設備がRRC信号伝達を通じてCoMP SRS基本列と循環移動値をUEに通知する。
【００４６】
この中で、循環移動値が高層により各ユーザに配置されても良く、循環移動の数値集合がLTEシステムと同じ、即ち、{0，1，2，3，4，5，6，7}であっても良く、干渉問題を考え、それに資源量が許す状況の下で循環移動値も相応に減少しても良く、例えば、{0，2，4，6}、{1，3，5，7}等で、異なるCoMP SRS cluster内でニーズによって異なる循環移動集合を配置しても良い。
【００４７】
基地局設備が、下り制御信号通知を伝達・放送方式を通じて前記情報をユーザー設備に発送できる。
【００４８】
ステップ304、UEが受けたCoMP SRS基本列、循環移動値とSRS配置情報によって、基地局設備により配置された時間・頻度資源上でSRSの発送を行う。
【００４９】
この上、後続のSRS伝送について、UEが今回SRSと同じSRS基本列を伝送してもいいし、SRS基本列を改めて配置してもいいし、又はSRSによりあらかじめ定義された周波数ホッピング方式によって列周波数ホッピングを実施しても良い。
【００５０】
本発明の実施の形態の技術的解決策は下記の優位性を持ち、即ち、マルチポイント協同伝送技術に基づくSRS基本列通知方式と列通知形式を提供するので、CoMP SRS cluster内の区間に使用されるCoMP SRS 基本列が区間IDとバインディングしない場合にUEに列情報を提供する為、区間のCoMP SRS資源の干渉及びCoMPと非CoMP SRS資源でのSRSとの干渉を低減し、チャネル見積もり正確度を確保することである。
【００５１】
図4で示すのは、本発明の実施例４の一種のSRSの発送方法フローチャートで、下記のステップを含む。
【００５２】
ステップ401、基地局設備がCoMP SRS clusterでの各区間に同じCoMP SRS OFDM symbol（符号）集合とCoMP SRS列グループを配置する。
【００５３】
この中で、CoMP SRS列グループでCoMP SRS clusterでの如何なる区間の基本列が異なるグループにあり、又はCoMP SRS clusterでのある区間の基本列と同じ。
【００５４】
ステップ402、基地局設備がタイムスロットｎｓで少なくとも二つのCoMP SRS基本列を選択し、選択されたすべてのCoMP SRS基本列を一つの基本列集合とし、それに基本列集合でのCoMP SRS基本列に番号を付ける。
【００５５】
ステップ403、基地局設備がRRC信号伝達を通じてCoMP SRS基本列の基本列集合での番号と循環移動値をUEに通知する。
【００５６】
この中で、循環移動値が高層により各ユーザに配置されても良く、循環移動の数値集合がLTEシステムと同じ、即ち、{0，1，2，3，4，5，6，7}であっても良く、干渉問題を考え、それに資源量の許可状況の下で循環移動値も相応に減少しても良く、例えば、{0，2，4，6}、{1，3，5，7}等で、異なるCoMP SRS cluster内でニーズによって異なる循環移動集合を配置しても良い。
【００５７】
基地局設備が、下り制御信号通知や放送方式を通じて前記情報をユーザー設備に発送できる。
【００５８】
ステップ404、UEが受けられたCoMP SRS基本列番号によってCoMP SRS基本列を確定し、それに当該基本列、循環移動値とSRS配置情報を利用して、基地局設備により配置された時間・頻度資源上でSRSの発送を行う。
【００５９】
この上、後続のSRS伝送について、UEが今回SRSと同じSRS基本列を伝送してもいいし、SRS基本列を改めて配置してもいいし、又はSRSによりあらかじめ定義された周波数ホッピング方式によって列周波数ホッピングを実施しても良い。
【００６０】
本発明の実施の形態の技術的解決策は下記の優位性を持ち、即ち、マルチポイント協同伝送技術に基づくSRS基本列通知方式と列通知形式を提供するので、CoMP SRS cluster内の区間に使用されるCoMP SRS 基本列が区間IDとバインディングしない場合にUEに列情報を提供する為、区間間のCoMP SRS資源の干渉及びCoMPと非CoMP SRS資源でのSRSとの干渉を低減し、チャネル見積もり正確度を保証することである。
【００６１】
図5で示すのは、本発明の実施例５の一種のSRSの発送方法フローチャートで、下記のステップを含む。
【００６２】
ステップ501、基地局設備がCoMP SRS clusterでの各区間に同じCoMP SRS OFDM symbol（符号）集合とCoMP SRS列グループを配置する。
【００６３】
この中で、CoMP SRS列グループとCoMP SRS clusterでの如何なる区間の基本列が異なるグループにあり、又はCoMP SRS clusterでのある区間の基本列と同じ。
ステップ502、基地局設備がタイムスロットｎｓでCoMP SRS基本列を選択し、基本列を決める選択可能な
【数１０】
0005531100.tif 000011
（group ID）を一つの集合に編制し、それに集合での各group IDに番号を付ける。
ステップ503、基地局設備がRRC信号伝達を通じてgroup IDの番号と循環移動値をUEに通知する。
【００６４】
これと同時に、基地局設備が、タイムスロットｎｓで選択可能な
【数１１】
0005531100.tif 000012
集合又は集合番号をUEに通知できる。
【００６５】
この中で、循環移動値が高層により各ユーザに配置されても良く、循環移動の数値集合がLTEシステムと同じ、即ち、{0，1，2，3，4，5，6，7}であっても良く、干渉問題を考え、それに資源量の許可状況の下で循環移動値も相応に減少しても良く、例えば、{0，2，4，6}、{1，3，5，7}等で、異なるCoMP SRS cluster内でニーズによって異なる循環移動集合を配置しても良い。
【００６６】
基地局設備が、下り制御信号通知や放送方式を通じて前記情報をユーザー設備に発送できる。
【００６７】
ステップ504、UEが受けられたgroup ID番号によってCoMP SRS基本列を獲得し、それに循環移動値とSRS配置情報に結びついて、基地局設備により配置された時間・頻度資源上でSRSの発送を行う。
【００６８】
この上、後続のSRS伝送について、UEが今回SRSと同じSRS基本列を伝送してもいいし、SRS基本列を改めて配置してもいいし、又はSRSによりあらかじめ定義された周波数ホッピング方式によって列周波数ホッピングを実施しても良い。
【００６９】
その上、基地局設備がCoMP SRS基本列を選択し、当該基本列を決めるgroup IDを確定し、それにgroup IDをユーザー設備に発送することもできて、ユーザー設備が当該group IDによって相応なCoMP SRS基本列を確定し、それに当該基本列、循環移動値とSRS配置情報を使用してSRSを発送する。
【００７０】
本発明の実施の形態の技術的解決策は下記の優位性を持ち、即ち、マルチポイント協同伝送技術に基づくSRS基本列通知方式と列通知形式を提供するので、CoMP SRS cluster内の区間に使用されるCoMP SRS 基本列が区間IDとバインディングしない場合にUEに列情報を提供する為、区間間のCoMP SRS資源の干渉及びCoMPと非CoMP SRS資源でのSRSとの干渉を低減し、チャネル見積もり正確度を保証することである。
【００７１】
図6で示すのは、本発明の実施例６の一種のSRSの発送方法フローチャートで、下記のステップを含む。
【００７２】
ステップ601、基地局設備がCoMP SRS clusterでの各区間に同じCoMP SRS OFDM symbol（符号）集合とCoMP SRS列グループを配置する。
【００７３】
この中で、CoMP SRS列グループとCoMP SRS clusterでの如何なる区間の基本列が異なるグループにあり、又はCoMP SRS clusterでのある区間の基本列と同じ。
ステップ602、基地局設備がタイムスロットｎｓでCoMP SRS基本列を選択し、
【数１２】
0005531100.tif 000013
の下に存在する複数の基本列標識、即ち、sequence IDを確定する。
【００７４】
ステップ603、基地局設備がRRC信号伝達を通じてgroup ID、sequence IDと循環移動値をUEに通知する。
【００７５】
この中で、循環移動値が高層により各ユーザに配置されても良く、循環移動の数値集合がLTEシステムと同じ、即ち、{0，1，2，3，4，5，6，7}であっても良く、干渉問題を考え、それに資源量の許可状況の下で循環移動値も相応に減少しても良く、例えば、{0，2，4，6}、{1，3，5，7}等で、異なるCoMP SRS cluster内でニーズによって異なる循環移動集合を配置しても良い。
【００７６】
基地局設備が、下り制御信号通知や放送方式を通じて前記情報をユーザー設備に発送できる。
【００７７】
ステップ604、UEが受けたgroup IDとsequence IDによってCoMP SRS基本列を確定し、それに当該基本列、循環移動値とSRS配置情報を使用して、基地局設備により配置された時間・頻度資源上でSRSの発送を行う。
【００７８】
この上、後続のSRS伝送について、UEが今回SRS伝送と同じSRS基本列を利用してもいいし、SRS基本列を改めて配置してもいいし、又はSRSによりあらかじめ定義された周波数ホッピング方式によって列周波数ホッピングを実施しても良い。
【００７９】
その上、基地局設備は、CoMP SRS基本列を選択し、当該基本列を決めるgroup IDとsequence IDの番号を確定し、それにgroup IDとsequence IDの番号をユーザー設備に発送することもできて、ユーザー設備が当該group IDとsequence IDの番号によって相応なCoMP SRS基本列を確定し、それに当該基本列、循環移動値とSRS配置情報を使用してSRSを発送する。
【００８０】
説明すべきのは、本発明方法について実際ニーズによって各ステップの順序を調整することができる。
【００８１】
本発明の実施の形態の技術的解決策は下記の優位性を持ち、即ち、マルチポイント協同伝送技術に基づくSRS基本列通知方式と列通知形式を提供するので、CoMP SRS cluster内の区間に使用されるCoMP SRS 基本列が区間IDとバインディングしない場合にUEに列情報を提供する為、区間間のCoMP SRS資源の干渉及びCoMPと非CoMP SRS資源でのSRSとの干渉を低減し、チャネル見積もり正確度を保証することである。
【００８２】
図7で示すのは、本発明の実施例７の一種のユーザー設備構造見取図で、下記を含む。
【００８３】
基地局設備からのCoMP専用SRS 列情報を受け、それに前記基地局設備がCoMP SRS cluster内の区間と相応する為の引受モジュール710と、
引受モジュール710引き受けられたCoMP専用SRSの序列情報によってCoMP SRS cluster内の区間にSRSを発送する為の発送モジュール720。
【００８４】
前記引受モジュール710が具体に、RRC信号伝達、下り制御信号伝達通知と放送通知からの何れかの方式を通じてCoMP専用SRSの序列情報を引き受ける。
【００８５】
前記CoMP専用SRSの序列情報が、循環移動値及びCoMP SRS基本列相応な列グループ番号と基本列番号を含む可能性があり、前記発送モジュール720が具体に列グループ番号と基本列番号によって相応なCoMP SRS基本列を確定し、それに当該基本列、循環移動値とSRS配置情報を使用してSRSを発送することに使用される。
【００８６】
前記CoMP専用SRSの序列情報が循環移動値とCoMP SRS基本列を含む可能性があり、前記発送モジュール720が具体に当該基本列、循環移動値とSRS配置情報を使用してSRSを発送することに使用される。
【００８７】
前記CoMP専用SRSの序列情報が循環移動値とCoMP SRS基本列の基本列集合の番号を含む可能性があり、前記発送モジュール720が具体に基本列集合におけるCoMP SRS基本列の番号によって相応なCoMP SRS基本列を確定し、それに当該基本列、循環移動値とSRS配置情報を使用してSRSを発送することに使用される。
【００８８】
前記CoMP専用SRSの序列情報が循環移動値とCoMP SRS clusterのgroup IDを含む可能性があり、前記発送モジュール720が具体に前記group IDによって相応なCoMP SRS基本列を確定し、それに前記基本列、前記循環移動値とSRS配置情報を使用してSRSを発送することに使用される。
【００８９】
前記CoMP専用SRSの序列情報が循環移動値とCoMP SRS clusterのgroup ID番号を含む可能性があり、前記発送モジュール720が具体にgroup IDの番号によって相応なCoMP SRS基本列を確定し、それに前記基本列、前記循環移動値とSRS配置情報を使用してSRSを発送することに使用される。
【００９０】
前記CoMP専用SRSの序列情報が循環移動値、CoMP SRS clusterのgroup IDとsequence IDを含む可能性があり、前記発送モジュール720が具体に前記group IDとsequence IDによって相応なCoMP SRS基本列を確定し、それに前記基本列、前記循環移動値とSRS配置情報を使用してSRSを発送することに使用される。
【００９１】
前記CoMP専用SRSの序列情報が循環移動値、CoMP SRS clusterのgroup IDとsequence ID番号を含む可能性があり、前記発送モジュール720が具体に前記group IDとsequence ID番号によって相応なCoMP SRS基本列を確定し、それに前記基本列、前記循環移動値とSRS配置情報を使用してSRSを発送することに使用される。
【００９２】
前記発送モジュール720が後続のSRS伝送にも使用され、前記CoMP専用SRSの序列情報を使用してSRSを発送し、又はCoMP専用SRSの序列情報を改めて配置し、又はSRS特有のあらかじめ定義された飛び方式によって列飛びを行う。
【００９３】
本発明の実施の形態的技術的解決策は下記の優位性を持ち、即ち、マルチポイント協同伝送技術に基づくSRS基本列的通知方式と列通知形式を提供するので、CoMP SRS cluster内の区間に使用されるCoMP SRS 基本列が区間IDとバインディングしない場合にUEに列情報を提供する為、区間間のCoMP SRS資源の干渉及びCoMPと非CoMP SRS資源の上のSRSとの干渉を低減し、チャネル見積もり正確度を保証する。
【００９４】
如図8で示すのは本発明実施例８の一種の基地局設備構造見取図であり、下記を含む。
【００９５】
CoMP SRS cluster内の区間相応なCoMP専用SRSの序列情報の獲得に使用される獲得モジュール810と、
獲得モジュール810により獲得されたCoMP専用SRSの序列情報をユーザー設備に発送することによって、当該ユーザー設備に、CoMP専用SRSの序列情報によってSRSを発送させる為の発送モジュール820。
【００９６】
前記発送モジュール820が具体に、RRC信号伝達、下り制御信号伝達通知と放送通知からのいずれかの方式を通じてユーザー設備にCoMP専用SRSの序列情報を発送することに使用される。
【００９７】
前記CoMP専用SRSの序列情報が循環移動値、CoMP SRS基本列相応な列グループ番号と基本列番号を含み、前記獲得モジュール810が具体にCoMP SRS基本列を選択し、前記基本列を決める列グループ番号と基本列番号を確定することに使用される。
【００９８】
前記CoMP専用SRSの序列情報が循環移動値とCoMP SRS基本列を含み、前記獲得モジュール810が具体にCoMP SRS基本列を選択することに使用される。
【００９９】
前記CoMP専用SRSの序列情報が循環移動値とCoMP SRS基本列の基本列集合の番号を含む可能性があり、前記獲得モジュール810が具体にCoMP SRS基本列を選択し、選択されたCoMP SRS基本列を一つの基本列集合として、それに基本列集合でのCoMP SRS基本列に番号を付けることに使用される。
【０１００】
前記CoMP専用SRSの序列情報が循環移動値とCoMP SRS clusterのgroup IDを含む可能性があり、前記獲得モジュール810が具体にCoMP SRS基本列を選択し、基本列を決めるgroup IDを確定することに使用される。
【０１０１】
前記CoMP専用SRSの序列情報が循環移動値とCoMP SRS clusterのgroup IDを含む可能性があり、前記獲得モジュール810が具体にCoMP SRS基本列を選択し、基本列を決めて選択できるgroup IDを一つの集合に編制し、それに当該集合での各group IDに番号を付けることに使用される。
【０１０２】
前記CoMP専用SRSの序列情報が循環移動値、CoMP SRS clusterのgroup IDとsequence IDを含む可能性があり、前記獲得モジュール810が具体にCoMP SRS基本列を選択し、group IDとsequence IDを確定することに使用される。
【０１０３】
前記CoMP専用SRSの序列情報が循環移動値、CoMP SRS clusterのgroup IDとsequence IDの番号を含む可能性があり、前記獲得モジュール810が具体にCoMP SRS基本列を選択し、group IDとsequence IDの番号を確定することに使用される。
【０１０４】
本発明の実施の形態の技術的解決策は下記の優位性を持ち、即ち、マルチポイント協同伝送技術に基づくSRS基本列通知方式と列通知形式を提供するので、CoMP SRS cluster内の区間に使用されるCoMP SRS 基本列が区間IDとバインディングしない場合にUEに列情報を提供する為、区間間のCoMP SRS資源の干渉及びCoMPと非CoMP SRS資源でのSRSとの干渉を低減し、チャネル見積もり正確度を保証することである。
【０１０５】
図9で示すのは本発明の実施例９の一種のSRSの発送システム構造見取図で、ユーザー設備910と基地局設備920を含み、この中で、
ユーザー設備910は、基地局設備920からのCoMP専用SRS 列情報を受け、それに受けたCoMP専用SRSの序列情報によってCoMP SRS cluster内の区間にSRSを発送し、当該基地局設備920がCoMP SRS cluster内の区間と相応する。
【０１０６】
基地局設備920は、CoMP SRS cluster内の区間相応なCoMP専用SRSの序列情報を獲得し、獲得したCoMP専用SRSの序列情報をユーザー設備910に発送することによって、ユーザー設備910に、CoMP専用SRSの序列情報によってSRSを発送させる。
【０１０７】
本発明の実施の形態の技術的解決策は下記の優位性を持ち、即ち、マルチポイント協同伝送技術に基づくSRS基本列通知方式と列通知形式を提供するので、CoMP SRS cluster内の区間に使用されるCoMP SRS 基本列が区間IDとバインディングしない場合にUEに列情報を提供する為、区間間のCoMP SRS資源の干渉及びCoMPと非CoMP SRS資源でのSRSとの干渉を低減し、チャネル見積もり正確度を保証することである。
【０１０８】
前記の実施方式の説明を通じて、本分野の技術者は、ソフトの上に必要な通用ハードウエアのプラットフォームを加える方式で本発明を実現することができることをはっきり理解できる。勿論、ハードウエアを通じても実現できるが、多くの状況の下で前者はより良い実施方式である。このような理解に基づいて、本質上または現有技術に貢献した部分を巡って本発明の技術方案をソフト製品という形で表れることができて、当該ソフトウェア製品を記憶媒体（携帯電話、PC、サーバー又はネットワーク設備等）に記憶することができて、若干の指令を含んで、一台のコンピューター設備（PC、サーバー、ネットワーク設備など）に本発明各実施の形態の前記方法を執行させる。
【０１０９】
前記は本発明のよりよい実施方式である。しかし、ここで説明を要るのは、本技術分野の普通の技術者が、本発明原理に基づいて、方法を改善・修飾することができるが、その改善と修飾も本発明の保護範囲以内に属することである。本発明実施形態の前の番号は説明上の便利のためであり、実施の形態の優劣を意味しない。
【０１１０】
本分野の技術者には本実施形態に係る装置のモジュールを、実施形態の説明通りに実施形態に係る装置に配置することができる。また、実際の状況に合わせて実施し、本実施形態と異なる一つ、あるいは複数の装置に配置することもできるように理解して欲しい。前記の実施形態のモジュールを一体に集成してもいいが、分散して配置してもいいし、集成して一つのモジュールになってもいいし、それに複数のサブモジュールにしてもいい。
【図１】
0005531100.tif 000014
【図２】
0005531100.tif 000015
【図３】
0005531100.tif 000016
【図４】
0005531100.tif 000017
【図５】
0005531100.tif 000018
【図６】
0005531100.tif 000019
【図７】
0005531100.tif 000020
【図８】
0005531100.tif 000021
【図９】
0005531100.tif 000022